(57)【要約】【課題】金属検知器により検知可能である上に、金属の剥離が防止されている絆創膏を提供する。【解決手段】本発明の絆創膏１０は、樹脂で被覆された金属を含む繊維を有する織布１１と、織布１１の片面に形成された粘着剤層１２と、粘着剤層１２の織布１１と反対側の面１２ａの一部に設けられたパッド１３とを備える。織布１１は、縦方向および横方向の一方の方向が、他方の方向より伸び率の比が小さく、伸び率の比の小さい方向に沿った糸が、前記樹脂で被覆された金属を含む繊維を有する糸であることが好ましい。【選択図】図２
2010094336.tif 000002
【特許請求の範囲】
【請求項１】
樹脂で被覆された金属を含む繊維を有する織布と、該織布の片面に形成された粘着剤層と、粘着剤層の織布と反対側の面の一部に設けられたパッドとを備えることを特徴とする絆創膏。
【請求項２】
前記織布は、縦方向および横方向の一方の方向が、他方の方向より伸び率の比が小さく、
伸び率の比の小さい方向に沿った糸が、前記樹脂で被覆された金属を含む繊維を有する糸である請求項１に記載の絆創膏。
【請求項３】
前記織布は、伸び率の比の大きい方向に沿った糸が、金属を含まない繊維からなる糸である請求項２に記載の絆創膏。
【発明の詳細な説明】
【技術分野】
【０００１】
本発明は、金属検知器で検知可能な絆創膏に関する。
【背景技術】
【０００２】
近年、食品の安全性が高まっており、食品製造現場においては食品への異物混入防止が強化されている。
ところで、食品製造の作業者が切傷を負った際には皮膚に絆創膏を貼付することがあるが、食品（特に水分の多い食品）を取り扱っているときに、絆創膏が皮膚から剥がれて食品に混入してしまうおそれがある。食品に絆創膏が混入した場合、食品表面に露出しているものは目視により容易に発見し、取り除くことができるが、内部に入り込んでしまったものは目視による発見が困難である。
そこで、特許文献１では、基材の上に、真空蒸着、スパッタリング、吹き付けおよび塗布等の方法により均一な金属層を形成して得た絆創膏が提案されている。この絆創膏によれば、食品の通常の検査で用いている金属検知器により検知可能である。
また、金属検知器により検知可能な絆創膏として、特許文献２には、合成繊維糸または天然繊維糸と金属細線とにより構成された支持体にパッドが設けられたものが開示されている。
【特許文献１】特開２００６−６６６９号公報
【特許文献２】実開平１−１３０３２７号公報
【発明の開示】
【発明が解決しようとする課題】
【０００３】
しかしながら、特許文献１に記載の絆創膏は、金属検知器により検知可能であるものの、作業中に、作業者に貼付された絆創膏から金属層の少なくとも一部が剥離または脱落してしまい、食品に混入するおそれがあった。
また、絆創膏には、皮膚に充分に密着させるために高い伸縮性が求められる場合があるが、特許文献１に記載の絆創膏は金属層によって伸縮しにくくなっていた。さらには、特許文献１に記載の絆創膏では金属層が露出しているため、金属層に作業者の皮膚や食品が直接接触することがあった。作業者の皮膚が金属層に触れると、アレルギーを引き起こすことがあり、食品が金属層に触れると、汚染されるおそれがあった。
また、特許文献２に記載の絆創膏では、繊維の材質によって金属が限定される上に、金属の腐食が生じることがあった。
本発明は、前記事情を鑑みてなされたものであり、金属検知器により検知可能である上に、金属の剥離や脱落および腐食が防止され、金属が限定されない絆創膏を提供することを目的とする。
【課題を解決するための手段】
【０００４】
本発明は、以下の態様を包含する。
［１］  樹脂で被覆された金属を含む繊維を有する織布と、該織布の片面に形成された粘着剤層と、粘着剤層の織布と反対側の面の一部に設けられたパッドとを備えることを特徴とする絆創膏。
［２］  前記織布は、縦方向および横方向の一方の方向が、他方の方向より伸び率の比が小さく、
伸び率の小さい方向に沿った糸が、前記樹脂で被覆された金属を含む繊維を有する糸である［１］に記載の絆創膏。
［３］  前記織布は、伸び率の比の大きい方向に沿った糸が、金属を含まない繊維からなる糸である［２］に記載の絆創膏。
【発明の効果】
【０００５】
本発明の絆創膏は、金属検知器により検知可能である上に、金属の剥離や脱落および腐食が防止され、金属が限定されない。
【発明を実施するための最良の形態】
【０００６】
本発明の絆創膏の一実施形態について説明する。
図１および図２に、本実施形態の絆創膏を示す。本実施形態の絆創膏１０は、両端が丸くなっている短冊状の織布１１と、織布１１の片面に形成された粘着剤層１２と、粘着剤層１２の織布１１と反対側の面１２ａの中央部に設けられたパッド１３とを備える。
【０００７】
（織布）
本実施形態における織布１１は、縦方向が横方向より伸び率の比が小さいものである。ここで、伸び率の比とは、横方向の基の長さに対して、１０％伸張時の抗張力に対する縦方向の１０％伸張時の抗張力の比のことである。この伸び率の比は１．５以上であることが好ましい。
絆創膏１０を手足の指に貼った場合、特に指の関節に貼った場合には、指の運動に伴って、絆創膏１０に縦方向が大きく伸縮する。そのため、横方向の１０％伸張時抗張力のみを規定しても、長時間使用した後には絆創膏１０の長手方向の端部から剥がれることがあった。しかし、横方向の伸び率に対して縦方向の伸び率の比が小さければ、長時間使用した後の絆創膏１０の長手方向端部からの剥がれを防止できる。特に、伸び率の比が１．５以上であれば、指の関節上に絆創膏１０を貼って長時間にわたって使用しても剥がれにくい。
【０００８】
このように伸び率の比に異方性を有する織布１１としては、例えば、縦糸を配置すると共に横糸を平編みした布、横糸として伸縮性が高い糸（例えば、高伸縮性の材料を用いた糸、伸縮性が高くなるように撚りをかけた糸等）を用いた布などが挙げられる。
また、本実施形態における織布１１では、縦方向に沿った糸（縦糸）が、樹脂で被覆された金属（以下、樹脂被覆金属という。）を含む繊維を有する糸であり、横方向に沿った糸が、金属を含まない繊維からなる糸である。
【０００９】
横糸を構成する金属を含まない繊維としては、合成繊維または天然繊維が挙げられる。合成繊維としては、例えば、ポリエステル繊維、ナイロン繊維、レーヨン繊維、アクリル繊維等が挙げられる。天然繊維としては、例えば、毛、綿、麻、絹等が挙げられる。
【００１０】
縦糸を構成する樹脂被覆金属を含む繊維としては、（Ａ）樹脂被覆金属の細線からなる繊維、（Ｂ）合成繊維または天然繊維の表面に金属を、真空蒸着、めっき、スパッタ等により付着させ、さらに金属の表面に樹脂を被覆させた繊維、（Ｃ）熱可塑性樹脂（例えば、ポリエチレン、ポリプロピレン、ナイロン、ポリエステル、ポリアクリロニトリル等）に金属粒子を混合した混合物を溶融紡糸して得た繊維が挙げられる。
【００１１】
（Ａ）の樹脂被覆金属の細線からなる繊維は、樹脂を溶融押出して金属線に被覆することにより製造できる。図３に、金属の細線に、溶融押出により樹脂を被覆する樹脂被覆装置の模式図を示す。この樹脂被覆装置２０は、加熱シリンダー２１ａ内にスクリュー２１ｂが設けられた押出機２１と、押出機２１の上流の部分に取り付けられ、加熱シリンダー２１内に樹脂を供給するためのホッパー２２と、スクリュー２１ｂの先端側に設けられた樹脂被覆室２３とを具備する。この樹脂被覆装置２０を用いた樹脂被覆方法では、樹脂被覆室２３の内部にて、スクリュー２１ｂの長手方向に対して垂直（図示例では紙面垂直方向）に金属線Ｍを一定速度で走行させる。それと共に、ホッパー２２より樹脂のペレットＰを投入し、押出機２１の加熱シリンダー２１ａにより加熱して樹脂を溶融させながら、スクリュー２１ｂの回転により樹脂を先端側に搬送する。そして、樹脂被覆室２３に溶融樹脂を供給して、走行する金属線Ｍに溶融樹脂を接触させて被覆し、その被覆した溶融樹脂を冷却して、樹脂被覆金属の細線からなる繊維を得る。
金属線を被覆する樹脂としては、例えば、ポリエステル（例えば、ポリエチレンテレフタレート等）、ポリエチレン、ポリプロピレン、アクリル樹脂、ウレタン樹脂、ポリカーボネート、ポリスチレン、アクリロニトリル−ブタジエン−スチレン樹脂、フッ素樹脂（例えば、４フッ化エチレン樹脂等）、シリコーン樹脂、ポリアミド、ポリ塩化ビニル、セルロース樹脂などが挙げられる。
【００１２】
ここで、金属は、電磁界の変化（歪み等）を捉えて検知する金属検知器により検知可能な金属である。金属検知器により検知できる金属は、具体的には、アモルファス金属、強磁性を有する金属（例えば、マグネタイト、フェライト、鉄、ニッケル、真鍮等）、導電性を有する金属（例えば、金、銀、アルミニウム、銅、鉛等）、ステンレスなどが挙げられる。これらの中でも、強磁性と導電性の両方を有することから、鉄、ステンレスが好ましい。
上記の金属は１種を単独で使用してもよいし、２種以上を含む合金であってもよい。
金属を含む繊維を有する糸は、金属を含む繊維のみからなってもよいし、金属を含む繊維および金属を含まない繊維の両方を有する糸であってもよい。
【００１３】
（粘着剤層）
粘着剤層１２を構成する粘着剤としては特に制限されず、例えば、天然ゴム系粘着剤、合成ゴム系粘着剤、アクリル系粘着剤、ウレタン系粘着剤、シリコーン系粘着剤などが使用される。また、溶剤系、エマルジョン系、水系のいずれであってもよい。これら粘着剤の中でも、絆創膏に適した粘着性が容易に得られることから、溶剤系、エマルジョン系の粘着剤が好ましい。
また、粘着剤層１２には、粘着剤の他に、必要に応じて、架橋剤（例えば、イソシアネート系架橋剤、金属キレート系架橋剤等）、粘着付与剤等が含まれてもよい。
【００１４】
粘着剤層１２の厚さは、容易に粘着剤層を形成できる点から、５０μｍ以下が好ましく、３０μｍ以下がより好ましい。また、充分な粘着力が得られることから、１０μｍ以上が好ましく、２０μｍ以上がより好ましい。
【００１５】
なお、絆創膏１０が皮膚に貼付される前には、通常、粘着剤層１２に公知の剥離シートが貼着されて、粘着剤層１２を保護するようになっている。
【００１６】
（パッド）
本実施形態におけるパッド１３は矩形状のものである。パッド１３を構成する材料としては、例えば、ガーゼ、不織布などが挙げられる。
パッド１３には、必要に応じて、消毒液等の薬液が含浸されていてもよい。
【００１７】
（製造方法）
絆創膏１０は、例えば、織布のロール体から繰り出した織布の片面に粘着剤層を形成し、図４に示すように、粘着剤層１２の上にパッド１３を貼り付けた後に、所定の短冊状に裁断することにより得られる。
その際、絆創膏１０の長手方向が織布１１の横方向（幅方向）に沿うように裁断する。これにより、絆創膏１０の長手方向が伸縮可能になる。
【００１８】
（作用効果）
以上説明した絆創膏１０にあっては、織布１１の縦糸が、樹脂被覆金属を含む繊維を有する糸であるため、金属検知器により検知可能である。
また、織布１１を構成する糸に金属が含まれるため、金属の剥離が防止されている。さらに、金属は樹脂により被覆されているため、繊維との密着性が高く、絆創膏が伸縮しても金属の脱落が防止されている上に、金属の腐食が防止されている。とりわけ、本実施形態においては、金属を含む縦糸が、伸び率の比が小さい方向に沿って配置されているため、織布１１の伸縮性を損なわない。さらに、動きの少ない糸に金属が含まれるため、金属がより剥離しにくくなっている。
また、金属を樹脂で被覆することにより、繊維の材質によらず、いずれの金属を使用することができる。
また、横糸が金属を含まない繊維からなる糸であるため、横方向の伸縮性を充分に高くできる。
【００１９】
（他の実施形態）
なお、本発明は、上記実施形態に限定されない。
例えば、織布の横糸に金属が含まれてもよい。金属が含まれる横糸としては、伸縮性が損なわれにくいことから、（Ｃ）熱可塑性樹脂に金属粒子を混合した混合物を溶融紡糸して得た繊維が好ましい。しかし、伸縮性が損なわれる傾向にある上に、金属が剥離する可能性が高くなるため、金属が含まれる横糸として、（Ａ）樹脂被覆金属の細線からなる繊維、（Ｂ）合成繊維または天然繊維の表面に金属を付着させ、さらに金属に樹脂を被覆させた繊維を用いることは好ましくない。
さらに、金属が含まれる横糸として、（Ｃ）熱可塑性樹脂に金属粒子を混合した混合物を溶融紡糸して得た繊維を用いた場合には、横糸の金属含有量が多くなると、伸縮性が低下する傾向にあるから、金属含有量は金属検知器により検知可能な範囲でできるだけ少ないことが好ましい。
織布１１の形状は、矩形状、正方形状、円形状等であってもよい。
パッド１３の形状は、正方形状、円形状であってもよい。また、パッド１３は、絆創膏１０の方端側に配置されていても差し支えない。
【００２０】
また、織布１１は、横方向が縦方向より伸び率の比が小さくても構わない。
また、絆創膏に伸縮性が求められない場合には、絆創膏を構成する織布として、平織、綾織、朱子織等により製織した布などを用いることができる。この場合、縦糸および横糸の一方または両方を、金属を含む繊維とすることができる。
【図面の簡単な説明】
【００２１】
【図１】本発明の絆創膏の一実施形態を示す平面図である。
【図２】図１のＡ−Ａ’断面図である。
【図３】金属細線に樹脂を被覆する装置の一例を示す模式図である。
【図４】図１に示す絆創膏を製造する際の一工程を模式的に示す図である。
【符号の説明】
【００２２】
１０  絆創膏
１１  織布
１２  粘着剤層
１３  パッド
【図１】
2010094336.tif 000003
【図２】
2010094336.tif 000004
【図３】
2010094336.tif 000005
【図４】
2010094336.tif 000006